(57)【要約】【課題】節電することができ、プラグアンドプレイ機能を有し、且つパワーボタン及び電量測定ボタンを有するマルチメディアシステムを提供する。【解決手段】本体と、第１ディスプレイと、を有し、本体は、第１マルチメディアモジュールと、切替モジュールと、を有する携帯式装置と、ポートと、マルチメディア変換回路と、複数の信号出力ポートと、電源制御回路と、を有し、ポートが携帯式装置と電気的にカップリングすることができ、マルチメディア変換回路が第２マルチメディアモジュール及び重複器とそれぞれ電気的に連接し、電源制御回路は、ポートとマルチメディア変換回路と複数の信号出力ポートとに電力を供給するマルチメディア拡充装置と、マルチメディア拡充装置の一つの前記信号出力ポートと電気的にカップリングする第２ディスプレイと、を備える。【選択図】図２
2011090660.tif 000002
【特許請求の範囲】
【請求項１】
本体と、第１ディスプレイと、を有し、前記本体は、第１マルチメディアモジュールと、切替モジュールと、を有する携帯式装置と、
ポートと、マルチメディア変換回路と、複数の信号出力ポートと、電源制御回路と、を有し、前記ポートが前記携帯式装置と電気的にカップリングすることができ、前記マルチメディア変換回路が第２マルチメディアモジュール及び重複器とそれぞれ電気的に連接し、前記電源制御回路は、前記ポートと前記マルチメディア変換回路と前記複数の信号出力ポートとに電力を供給するマルチメディア拡充装置と、
前記マルチメディア拡充装置の前記複数の信号出力ポートのうちの１つと電気的にカップリングする第２ディスプレイと、
を備え、
前記本体がマルチメディア信号を出力して、前記切替モジュールにより前記マルチメディア信号が前記第１マルチメディアモジュール又は前記マルチメディア変換回路に伝送され、前記マルチメディア変換回路が前記第２マルチメディアモジュールと前記重複器のうちの一つと電気的に連接し、前記電源制御回路は、前記携帯式装置が前記ポートから分離したときに、電源の出力をオフすることを特徴とするマルチメディアシステム。
【請求項２】
前記第１マルチメディアモジュールは、表示チップと、サウンドチップと、を含み、前記携帯式装置の前記本体に内蔵されることを特徴とする、請求項１に記載のマルチメディアシステム。
【請求項３】
前記第２マルチメディアモジュールは、ディスプレイボードと、サウンドボードと、を含み、プラグアンドプレイ方式で前記マルチメディア変換回路と電気的にカップリングすることを特徴とする、請求項１に記載のマルチメディアシステム。
【請求項４】
前記マルチメディア変換回路はＰＣＩエクスプレス・インターフェースであることを特徴とする、請求項１に記載のマルチメディアシステム。
【請求項５】
前記マルチメディア拡充装置は、更に、前記携帯式装置のオン・オフを制御するパワーボタンを含むことを特徴とする、請求項１に記載のマルチメディアシステム。
【請求項６】
前記携帯式装置は、更に、電池を含み、前記電池の電量が複数の発光ダイオードにより表示され、前記マルチメディア拡充装置は、更に、前記電池の電量を測定する電量測定ボタンを含むことを特徴とする、請求項１に記載のマルチメディアシステム。
【請求項７】
本体と、第１ディスプレイと、を有し、前記本体は、第１マルチメディアモジュールと、切替モジュールと、を有する携帯式装置と、
ポートと、マルチメディア変換回路と、複数の信号出力ポートと、電源制御回路と、を有し、前記ポートが前記携帯式装置と電気的にカップリングすることができ、前記電源制御回路は、前記ポートと前記マルチメディア変換回路と前記複数の信号出力ポートとに電力を供給するマルチメディア拡充装置と、
前記マルチメディア拡充装置の前記複数の信号出力ポートのうちの１つと電気的にカップリングする第２ディスプレイと、
を備え、
前記本体がマルチメディア信号を出力して、前記切替モジュールにより前記マルチメディア信号が前記第１マルチメディアモジュール又は前記マルチメディア変換回路に伝送され、前記電源制御回路は、前記携帯式装置が前記ポートから分離したときに、電源の出力をオフすることを特徴とするマルチメディアシステム。
【請求項８】
前記第１マルチメディアモジュールは、表示チップと、サウンドチップと、を含み、前記携帯式装置の前記本体に内蔵されることを特徴とする、請求項７に記載のマルチメディアシステム。
【請求項９】
前記マルチメディア変換回路は第２マルチメディアモジュールに結合されることを特徴とする、請求項７に記載のマルチメディアシステム。
【請求項１０】
前記第２マルチメディアモジュールは、ディスプレイボードと、サウンドボードと、を含み、プラグアンドプレイ方式で前記マルチメディア変換回路と電気的にカップリングすることを特徴とする、請求項９に記載のマルチメディアシステム。
【請求項１１】
前記マルチメディア変換回路は重複器に結合されることを特徴とする、請求項７に記載のマルチメディアシステム。
【請求項１２】
前記マルチメディア変換回路はＰＣＩエクスプレス・インターフェースであることを特徴とする、請求項７に記載のマルチメディアシステム。
【請求項１３】
前記マルチメディア拡充装置は、更に、前記携帯式装置のオン・オフを制御するパワーボタンを含むことを特徴とする、請求項７に記載のマルチメディアシステム。
【請求項１４】
前記携帯式装置は、更に、電池を含み、前記電池の電量が複数の発光ダイオードにより表示され、前記マルチメディア拡充装置は、更に、前記電池の電量を測定する電量測定ボタンを含むことを特徴とする、請求項７に記載のマルチメディアシステム。
【発明の詳細な説明】
【技術分野】
【０００１】
本発明は、マルチメディアシステムに関し、特に、携帯式装置の機能を拡充することができるマルチメディアシステムに関するものである。
【背景技術】
【０００２】
携帯式装置（例えばノートブック型パーソナルコンピュータ）は、体積が小さく、携帯し易いため、消費者に愛用されるようになる。しかし、小型化するために、多くの電子部材（例えば表示チップ又はサウンドチップ）が携帯式装置に内蔵され、そうすると、電子部材の交換、拡充またはアップグレードが困難になる欠点がある。
【０００３】
特に、３次元ゲームや３次元図面描きのユーザの場合には、先進的なハードウェアで特殊なソフトウェアを実行することが必要であり、携帯式装置のハードウェアの性能が不足であるときに、もっと先進的な携帯式装置、又はマルチメディア拡充装置を利用することが必要になる。
【０００４】
図１を参照する。図１は従来のマルチメディア拡充装置１３に携帯式装置１１を結合するマルチメディアシステム１を示す模式図である。
【０００５】
前記携帯式装置１１は、本体１１０と、前記本体１１０と電気的にカップリングする第１ディスプレイ１１２と、を含み、その内部には、第１マルチメディアモジュール１１４と、切替モジュール１１６と、が設けられる。前記第１マルチメディアモジュール１１４は、更に、第１表示チップ（図示せず）と、第１サウンドチップ（図示せず）と、を含む。前記本体１１０の底部には、更に、マルチメディア拡充装置１３と電気的にカップリングすることができるコネクタ１１８が設けられる。前記切替モジュール１１６は、前記本体１１０からのマルチメディア信号を、前記第１マルチメディアモジュール１１４に伝送し、又は前記コネクタ１１８を介して前記マルチメディア拡充装置１３に伝送する。
【０００６】
前記マルチメディア拡充装置１３の表面には、拡充台１３１と、ポート１３３が設けられ、前記拡充台１３１に前記携帯式装置１１を置くときに、前記ポート１３３が前記携帯式装置１１の前記コネクタ１１８と電気的にカップリングする。また、前記マルチメディア拡充装置１３の側面には、更に、複数の信号出力ポート１３５（例えばＵＳＢ、ＲＳ２３２、ＩＥＥＥ１３９４やＰＳ２など）と、ケーブル１３７と、が設けられ、前記信号出力ポート１３５のうちの一つが第２ディスプレイ１３９と電気的にカップリングする。
【０００７】
前記マルチメディア拡充装置１３の内部には、第２マルチメディアモジュール１３２と、電源供給器１３４と、が設けられる。前記第２マルチメディアモジュール１３２は、第２ディスプレイボード（図示せず）と、第２サウンドボード（図示せず）と、を含む。前記電源供給器１３４は、前記ケーブル１３７と電気的に連接し、前記第２マルチメディアモジュール１３２と前記ポート１３３と前記信号出力ポート１３５に電力を供給する。
【０００８】
一般的に、前記第２マルチメディアモジュール１３２のクラス及び性能は前記第１マルチメディアモジュ１１４よりも高く、且つ前記第２ディスプレイ１３９のスクリーンの寸法は前記第１ディスプレイ１１２のスクリーンの寸法よりも大きい。前記携帯式装置１１の前記第１ディスプレイ１１２を開けるときには、前記切替モジュール１１６により前記本体１１０のマルチメディア信号が前記第１マルチメディアモジュ１１４に伝送されて処理されて、前記第１ディスプレイ１１２に出力する。逆に、前記本体１１０に前記第１ディスプレイ１１２を閉じるときには、前記本体１１０のマルチメディア信号が前記第２マルチメディアモジュール１３２に伝送されて処理される。
【発明の概要】
【発明が解決しようとする課題】
【０００９】
しかしながら、これは次のような欠点があった。
（１）従来のマルチメディア拡充装置から携帯式装置を分離するときには、電源供給器は、第２マルチメディアモジュールとポートと信号出力ポートとに電力を継続に供給するため、電力を浪費する。
【００１０】
（２）従来の第２マルチメディアモジュールはプラグアンドプレイ機能を有しないため、ディスプレイボードやサウンドボードを交換したい場合には、シャットダウンすることが必要であり、極めて面倒である。
【００１１】
（３）従来のマルチメディアシステムがマルチメディア信号を第２ディスプレイに出力したいときには、本体に第１ディスプレイを閉じることが必要であり、そうすると、本体のパワーボタンがカバーされ、本体をオン・オフしたいときに、第１ディスプレイを開けることが必要であるため、極めて面倒である。
【００１２】
（４）従来のマルチメディア拡充装置に携帯式装置を電気的にカップリングすると同時に、電源供給器が携帯式装置に電力を供給するが、本体に第１ディスプレイを閉じる場合には、ユーザは携帯式装置の内部にある電池の電量を測定することができない。
【００１３】
本発明の主な目的は、節電することができるマルチメディアシステムを提供することにある。
【００１４】
本発明の次の目的は、プラグアンドプレイ機能を有するマルチメディアシステムを提供することにある。
【００１５】
本発明の別の目的は、パワーボタン及び電量測定ボタンを有するマルチメディアシステムを提供することにある。
【課題を解決するための手段】
【００１６】
本発明のマルチメディアシステムによると、本体と、第１ディスプレイと、を有し、前記本体は、第１マルチメディアモジュールと、切替モジュールと、を有する携帯式装置と、
ポートと、マルチメディア変換回路と、複数の信号出力ポートと、電源制御回路と、を有し、前記ポートが前記携帯式装置と電気的にカップリングすることができ、前記マルチメディア変換回路が第２マルチメディアモジュール及び重複器とそれぞれ電気的に連接し、前記電源制御回路は、前記ポートと前記マルチメディア変換回路と前記複数の信号出力ポートとに電力を供給するマルチメディア拡充装置と、
前記マルチメディア拡充装置の一つの前記信号出力ポートと電気的にカップリングする第２ディスプレイと、
を備え、
前記本体がマルチメディア信号を出力して、前記切替モジュールにより前記マルチメディア信号が前記第１マルチメディアモジュール又は前記マルチメディア変換回路に伝送され、前記マルチメディア変換回路が前記第２マルチメディアモジュールと前記重複器のうちの一つと電気的に連接し、前記電源制御回路は、前記携帯式装置が前記ポートから分離したときに、電源の出力をオフすることを特徴とする。
【００１７】
本発明のマルチメディアシステムによると、前記第１マルチメディアモジュールは、表示チップと、サウンドチップと、を含み、前記携帯式装置の前記本体に内蔵されることを特徴とする。
【００１８】
本発明のマルチメディアシステムによると、前記第２マルチメディアモジュールは、ディスプレイボードと、サウンドボードと、を含み、プラグアンドプレイ方式で前記マルチメディア変換回路と電気的にカップリングすることを特徴とする。
【００１９】
本発明のマルチメディアシステムによると、前記マルチメディア変換回路はＰＣＩエクスプレス・インターフェースであることを特徴とする。
【００２０】
本発明のマルチメディアシステムによると、前記マルチメディア拡充装置は、更に、前記携帯式装置のオン・オフを制御するパワーボタンを含むことを特徴とする。
【００２１】
本発明のマルチメディアシステムによると、前記携帯式装置は、更に、電池を含み、前記電池の電量が複数の発光ダイオードにより表示され、前記マルチメディア拡充装置は、更に、前記電池の電量を測定する電量測定ボタンを含むことを特徴とする。
【００２２】
本発明のマルチメディアシステムによると、本体と、第１ディスプレイと、を有し、前記本体は、第１マルチメディアモジュールと、切替モジュールと、を有する携帯式装置と、
ポートと、マルチメディア変換回路と、複数の信号出力ポートと、電源制御回路と、を有し、前記ポートが前記携帯式装置と電気的にカップリングすることができ、前記電源制御回路は、前記ポートと前記マルチメディア変換回路と前記複数の信号出力ポートとに電力を供給するマルチメディア拡充装置と、
前記マルチメディア拡充装置の一つの前記信号出力ポートと電気的にカップリングする第２ディスプレイと、
を備え、
前記本体がマルチメディア信号を出力して、前記切替モジュールにより前記マルチメディア信号が前記第１マルチメディアモジュール又は前記マルチメディア変換回路に伝送され、前記電源制御回路は、前記携帯式装置が前記ポートから分離したときに、電源の出力をオフすることを特徴とする。
【００２３】
本発明のマルチメディアシステムによると、前記第１マルチメディアモジュールは、表示チップと、サウンドチップと、を含み、前記携帯式装置の前記本体に内蔵されることを特徴とする。
【００２４】
本発明のマルチメディアシステムによると、前記マルチメディア変換回路は前記第２マルチメディアモジュールに結合されることを特徴とする。
【００２５】
本発明のマルチメディアシステムによると、前記第２マルチメディアモジュールは、ディスプレイボードと、サウンドボードと、を含み、プラグアンドプレイ方式で前記マルチメディア変換回路と電気的にカップリングすることを特徴とする。
【００２６】
本発明のマルチメディアシステムによると、前記マルチメディア変換回路は重複器に結合されることを特徴とする。
【００２７】
本発明のマルチメディアシステムによると、前記マルチメディア変換回路はＰＣＩエクスプレス・インターフェースであることを特徴とする。
【００２８】
本発明のマルチメディアシステムによると、前記マルチメディア拡充装置は、更に、前記携帯式装置のオン・オフを制御するパワーボタンを含むことを特徴とする。
【００２９】
本発明のマルチメディアシステムによると、前記携帯式装置は、更に、電池を含み、前記電池の電量が複数の発光ダイオードにより表示され、前記マルチメディア拡充装置は、更に、前記電池の電量を測定する電量測定ボタンを含むことを特徴とする。
【発明の効果】
【００３０】
本発明のマルチメディアシステムによれば、次のような効果がある。
（１）本発明に係るマルチメディア拡充装置から携帯式装置を分離したときに、マルチメディア拡充装置の電源制御回路により、マルチメディア制御回路とポートと信号出力ポートとに供給する電力が停止されるため、節電することができる。
【００３１】
（２）本発明に係るマルチメディア変換回路はプラグアンドプレイ機能を有するため、シャットダウンしなくても、ディスプレイボードやサウンドボードを交換することができる。
【００３２】
（３）本発明に係るマルチメディア拡充装置の内部には、重複器が設けられるため、本体からのマルチメディア信号を増強することができ、マルチメディア信号の品質が向上する。
【００３３】
（４）本発明に係るマルチメディア拡充装置の表面にパワーボタンが設けられるため、本体に第１ディスプレイを閉じても、パワーボタンによりユーザは本体をオン・オフすることができ、本体から第１ディスプレイを開けることが必要ない。
【００３４】
（５）本発明に係るマルチメディア拡充装置の表面に電量測定ボタンが設けられるため、本体に第１ディスプレイを閉じても、電量測定ボタンによりユーザは携帯式装置の内部にある電池の電量を測定することができ、本体から第１ディスプレイを開けることが必要ない。
【図面の簡単な説明】
【００３５】
【図１】従来のマルチメディアシステムを示す模式図である。
【図２】本発明のマルチメディアシステムの機能を示すブロック図である。
【図３】Ａ及びＢは本発明のマルチメディアシステムの操作を示す模式図である。
【発明を実施するための形態】
【００３６】
以下、本発明の実施の形態を図面に基づいて説明する。
まず、図２を参照する。図２は本発明のマルチメディアシステム２の機能を示すブロック図である。本発明のマルチメディアシステム２は、携帯式装置２１と、マルチメディア拡充装置２３と、を含む。前記携帯式装置２１は、ノートブック型パーソナルコンピュータでもいいし、簡易型計算装置でもよい。前記マルチメディア拡充装置２３は、前記携帯式装置２１と電気的にカップリングし、前記携帯式装置２１のマルチメディアの効果を向上する。
【００３７】
前記携帯式装置２１は、本体２１１と、前記本体２１１と電気的にカップリングする第１ディスプレイ２１３と、を有し、その底部の外側にコネクタが設けられ、その内部には、第１マルチメディアモジュール２１７と、切替モジュール２１９と、が設けられ、前記第１マルチメディアモジュール２１７には、表示チップ２１２と、サウンドチップ２１４と、が内蔵される。
【００３８】
前記マルチメディア拡充装置２３は、その上面に拡充台（図示せず）とポート２３１とが設けられ、その側面に信号出力ポート２３２が複数設けられ、前記信号出力ポート２３２のうちの少なくとも一つが第２ディスプレイ２３３と電気的にカップリングし、前記マルチメディア拡充装置２３の内部には、マルチメディア変換回路２３４と、電源制御回路２３５と、重複器２３７と、が設けられる。
【００３９】
前記拡充台に前記携帯式装置２１を置くときには、前記コネクタ２１５が前記ポート２３１と電気的にカップリングし、なお、前記ポート２３１が前記マルチメディア変換回路２３４と電気的に連接するため、前記本体２１１からのマルチメディア信号が前記マルチメディア変換回路２３４に伝送される。前記マルチメディア変換回路２３４は、ＰＣＩエクスプレス・インターフェースを含み、プラグアンドプレイ方式で前記第２マルチメディアモジュール２３８及び前記重複器２３７と電気的にカップリングする。前記第２マルチメディアモジュール２３８は、サウンドボード２３８１と、ディスプレイボード２３８２と、を含む。前記電源制御回路２３５は、ポート２３１とマルチメディア変換回路２３４と信号出力ポート２３２とに電力を供給する。前記コネクタ２１５と前記ポート２３１が電気的にカップリングしているときには、前記電源制御回路２３５が電力を供給する。逆に、前記コネクタ２１５と前記ポート２３１が電気的にカップリングしていないときには、前記電源制御回路２３５が電力を供給しない。そうすると、節電することができる。
【００４０】
図３のＡ及びＢを参照する。前記マルチメディア拡充装置２３の表面には、更に、前記携帯式装置２１のオン・オフを制御するパワーボタン２５と、前記携帯式装置２１の内部にある電池の電量を測定する電量測定ボタン２７と、が設けられる。
【００４１】
図２を参照する。前記携帯式装置２１の前記第１ディスプレイ２１３を開けるときには、前記切替モジュール２１９により前記本体２１１のマルチメディア信号が前記第１マルチメディアモジュ２１７に伝送されて処理されて、前記第１ディスプレイ２１３に出力する。逆に、前記本体２１１に前記第１ディスプレイ２１３を閉じるときには、前記本体２１１のマルチメディア信号は、前記マルチメディア変換回路２３４に伝送されて処理されて、前記第２マルチメディアモジュール２３８、又は前記重複器２３７に伝送される。
【００４２】
前記マルチメディア変換回路２３４は、ユーザの選択をソフトウェア方式により、マルチメディア信号を、前記第２マルチメディアモジュール２３８、又は前記重複器２３７に伝送してもいいし、ユーザの選択をハードウェア方式により、マルチメディア信号を、前記第２マルチメディアモジュール２３８、又は前記重複器２３７に伝送してもよい。上記のハードウェア方式というのは、一つのポートに、前記第２マルチメディアモジュール２３８、又は前記重複器２３７を挿入する。
【００４３】
次に、図３のＢを参照する。前記本体２１１に前記第１ディスプレイ２１３を閉じるときには、前記本体２１１の本来のパワーボタンが前記第１ディスプレイ２１３にカバーされ、このとき、前記マルチメディア拡充装置２３のパワーボタン２５により前記携帯式装置２１をオン・オフすることができる。一方、前記マルチメディア拡充装置２３により前記携帯式装置２１を充電することができ、しかし、充電しているときの前記携帯式装置２１は、シャットダウン状態にあり、又は前記本体２１１に前記第１ディスプレイ２１３が閉じられ、このとき、前記マルチメディア拡充装置２３の前記電量測定ボタン２７により、ユーザは前記携帯式装置２１の内部にある電池の電量を測定することができる。なお、前記携帯式装置２１の外面に発光ダイオード２９を複数設けて、前記発光ダイオード２９の点灯する数量により電池の電量を測定することもできる。
【００４４】
もちろん、本発明は、前記本体２１１に前記第１ディスプレイ２１３が閉じられたかどうかにも係らず、前記切替モジュール２１９により、前記第１マルチメディアモジュール２１７と前記マルチメディア制御回路２３４とに前記本体２１１からのマルチメディア信号が同時に伝送されてもよい。
【００４５】
このように、本発明が、特定の例を参照して説明されたが、それらの例は、説明のためだけのものであり、本発明を限定するものではなく、この分野に通常の知識を有する者には、本発明の精神および範囲を逸脱することなく、ここで開示された実施例に変更、追加、または、削除を施してもよいことがわかる。
【符号の説明】
【００４６】
１：マルチメディアシステム、２：マルチメディアシステム、１１：携帯式装置、１３：マルチメディア拡充装置、２１：携帯式装置、２３：マルチメディア拡充装置、２５：パワーボタン、２７：電量測定ボタン、２９：発光ダイオード、１１０：本体、１１２：第１ディスプレイ、１１４：第１マルチメディアモジュール、１１６：切替モジュール、１１８：コネクタ、１３１：拡充台、１３２：第２マルチメディアモジュール、１３３：ポート、１３４：電源供給器、１３５：信号出力ポート、１３７：ケーブル、１３９：第２ディスプレイ、２１１：本体、２１２：表示チップ、２１３：第１ディスプレイ、２１４：サウンドチップ、２１５：コネクタ、２１７：第１マルチメディアモジュール、２１９：切替モジュール、２３１：ポート、２３２：信号出力ポート、２３３：第２ディスプレイ、２３４：マルチメディア変換回路、２３５：電源制御回路、２３７：重複器、２３８：第２マルチメディアモジュール、２３８１：サウンドボード、２３８２：ディスプレイボード
【産業上の利用可能性】
【００４７】
本発明は、マルチメディアシステムに適用することができる。
【図１】
2011090660.tif 000003
【図２】
2011090660.tif 000004
【図３】
2011090660.tif 000005